(57)【要約】      （修正有）【課題】使用者の身体に広く遠赤外線を照射する遠赤外線照射ボックスを提供する。【解決手段】覗き窓と、ドアノブ１２と、遠赤外線セラミックス板を内設した網状板１３とを具えるドア１と、スピーカー４１と、マルチメディアパネル４２と、ミラー４３と、局部照射板構造７と、網状板１３とを設ける。網状板内には遠赤外線セラミックス板を内設し、かつ該局部照射板７の前端に遠赤外線セラミックス板を内設した網状板を設けて第１側面板４を構成する。さらに、遠赤外線セラミックスを内設した網状板を具え、かつ高さ調整可能で、自在に収納、展開できる座部板と昇降桿とを含む腰掛部８を備える第２側面板５と、遠赤外線セラミックスを内設した網状板を具える右側面板６と、底部ベース２と、天板３と、によって箱体を構成する。【選択図】図２
0003160363.tif 000002
【実用新案登録請求の範囲】
【請求項１】
覗き窓と、ドアノブと、遠赤外線セラミックス板を内設した網状板とを具えるドアと、
スピーカーと、マルチメディアパネルと、ミラーと、局部照射板構造と、網状板とを設け、網状板内には遠赤外線セラミックス板を内設した網状板と、を具え、かつ該局部照射板構造の前端に遠赤外線セラミックス板を内設した網状板を設けた局部照射板を設けてなる第１側面板と、
遠赤外線セラミックスを内設した網状板を具え、かつ高さ調整可能で、自在に収納、展開できる座部板と昇降桿とを含む腰掛部を備える第２側面板と、
遠赤外線セラミックスを内設した網状板を具える右側面板と、
底面に設けられる底部ベースと、
天板と、を具え、
該底部ベースの外周に該ドアと、該第１側面板と、該第２側面板と、該右側面板とを設ける底部ベースと、を設け、上方に該天板を設けて箱体を構成することを特徴とする遠赤外線照射ボックス。
【請求項２】
前記局部照射構造の局部照射板が伸縮構造部を具え、該伸縮構造部が複数のツイストロックを具え、かつ該伸縮構造部の一端が回転部に連結し、該回転部は、溝を形成したメインスリーブを含み、該メインスリーブ内には二組のトルクバネを設け、該２組のトルクバネの突出端が該メインスリーブの溝に係止し、該２組のトルクバネによって該局部照射板の重量のバランスを取り、局部照射板が下方に落ちないようにし、
該メインスリーブの両側には、四角桿を設け、内スリーブに四角の孔を穿設し、該四角の孔に該四角桿を嵌挿して固定し、該内スリーブには係合溝を形成して該トルクバネを係合させる一端に、複数の締結部材を設け、該締結部材によって該伸縮構造部と、該外スリーブとを該内スリーブに固定することを特徴とする請求項１に記載の遠赤外線照射ボックス。
【請求項３】
前記ツイストロックは、外管の一端に固定するキャップ部を含み、該キャップ部の一端にはネジ孔を穿設し、かつ圧迫部材を設け、該圧迫部材は錐体形状を呈し、外周面に螺刻して、ネジ山を形成し、該ネジ山が該ネジ孔に螺着して該内管と該外管とを圧接して固定状態にすることを特徴とする請求項２に記載の遠赤外線照射ボックス。
【請求項４】
前記腰掛部は、それぞれ左右に対応する位置に設けた４つの位置決めブロックを具え、それぞれの該位置決めブロックは、前記第２側面板に固定し、
該４つの位置決めブロックは、２本のガイド柱の上下にそれぞれ設け、かつ該２本のガイド柱の間には支持桿を設け、該支持桿は、該２本のガイド柱の間で、上下に位置を自在に調整できるように設けるとともに、さらに底面に２つの支持部材を設けた座部板を設け、該支持桿には２枚が対になった支持耳を２対設け、該支持耳には円形孔を穿設し、該支持部材の両側面には、該支持耳の該円形孔に対応する楕円孔を穿設し、昇降桿の一端を該支持桿の底面に連結し、該昇降桿の一端は該底部ベースに昇降桿取り付け孔を設けて嵌挿して固定するとともに、該楕円孔には、ピンを挿入することを特徴とする請求項１に記載の遠赤外線照射ボックス。
【請求項５】
前記右側面板の網状板と遠赤外線セラミックス板がＬ字状を呈することを特徴とする請求項１に記載の遠赤外線照射ボックス。
【考案の詳細な説明】
【技術分野】
【０００１】
この考案は、遠赤外線を照射する装置に関し、特に使用者の身体を広く遠赤外線が照射する遠赤外線照射ボックスに関する。
【背景技術】
【０００２】
赤外線は人体に有益であることから、生育光線とも称する。遠赤外線は皮膚と皮下組織に深く進入し、血液の循環を促進して体温を一定に保つ作用を有する。また、遠赤外線は水分子を活性化させ、身体の酸素含有量を高める。このため、細胞の活力回復を促し、精神力を高め、頭脳の働きを活性化させることができる。延いては、病気に対する抵抗力を高め、老化の進行を緩慢にすることができる。
【０００３】
また、遠赤外線は、微細循環系の働きを改善することができる、即ち、独立した水分子が細胞の間を自由に進出できるようにし、さらに共鳴、共振によって熱エネルギーに転換する。このため、皮下の深層部の温度が微量上昇し、血液の流れを加速し、微細血管を拡張させる。拡張する微細血管が増えれば、心臓の圧力が低減する。
【０００４】
また、遠赤外線は新陳代謝を促す。微細血管の微細循環系の働きが改善されれば、新陳代謝によって生成される老廃棄物を迅速に体外へ排出し、肝臓と腎臓の負担を軽減させる。
【０００５】
また、遠赤外線は、身体のｐｈ値のバランスを整える。即ち、遠赤外線は血液を浄化し、皮膚の質を改善するとともに、尿酸濃度が過度に高くなることによって引き起こされる骨格の関節の痛みを予防する。
【０００６】
遠赤外線は原子振動によってエネルギーが発生する。係るエネルギーを熱量に転換すると、人体の内部組織を暖めることができる。ここから血管がやや膨張し、血液の流れが加速て、人体内の酵素とホルモンを効率よく、かつ十分に活性化させ、体内の重金属と有毒な有機物質を排除することができる。
【０００７】
しかしながら、遠赤外線には上述するような多くの長所があるにもかかわらず、遠赤外線を応用した従来の装置などには多くの問題が存在する。即ち、従来の遠赤外線を応用した装置は、遠赤外線の照射が局部に限られる。係る装置には、例えば線赤外線ランプ、遠赤外線健康ポット、遠赤外線電気暖房器、遠赤外線ホットマット、遠赤外線エネルギーボールなどが挙げられる。これらは、身体の局部が遠赤外線に接触するだけで、その他部位には効果を発揮しない。よって、遠赤外線の有する効果は限定的なものとなり、真の身体改善の効果を達成することができない。
【０００８】
遠赤外線は生育光線とも称するが、例えば遠赤外線エネルギーボールが身体に接触する方式のように、単純にスポット照射の方式では、遠赤外線の作用が発揮されない内に、遠赤外線の焦点が他に移り、僅かな改善は人体の退化の速度に間に合わなくなる、したがって、全身に広く遠赤外線の照射を受ける必要があり、効果が限られたスポット照射に時間を費やすことは無意味である。
【考案の概要】
【考案が解決しようとする課題】
【０００９】
この考案は、遠赤外線の照射を全身に広く受けることができ、遠赤外線の有する効果が十分に達成できる遠赤外線照射ボックスを  提供することを課題とする。
【課題を解決するための手段】
【００１０】
そこで、本考案者は従来の技術の欠点に鑑み鋭意研究を重ねた結果、遠赤外線セラミックス板を内設した網状板を有する側面版と、底部ベースとドアと天板によって箱体を構成することによって課題を解決できる点に着眼し、係る知見によって、本考案を完成させた。
【００１１】
請求項１に記載する遠赤外線照射ボックスは、覗き窓と、ドアノブと、遠赤外線セラミックス板を内設した網状板とを具えるドアと、
スピーカーと、マルチメディアパネルと、ミラーと、局部照射板構造と、網状板とを設け、網状板内には遠赤外線セラミックス板を内設した網状板と、を具え、かつ該局部照射板構造の前端に遠赤外線セラミックス板を内設した網状板を設けた局部照射板を設けてなる第１側面板と、
遠赤外線セラミックスを内設した網状板を具え、かつ高さ調整可能で、自在に収納、展開できる座部板と昇降桿とを含む腰掛部を備える第２側面板と、
遠赤外線セラミックスを内設した網状板を具える右側面板と、
底面に設けられる底部ベースと、
天板と、を具え、
該底部ベースの外周に該ドアと、該第１側面板と、該第２側面板と、該右側面板とを設ける底部ベースと、を設け、上方に該天板を設けて箱体を構成する。
【００１２】
請求項２に記載する遠赤外線照射ボックスは、請求項１における局部照射構造の局部照射板が伸縮構造部を具え、該伸縮構造部が複数のツイストロックを具え、かつ該伸縮構造部の一端が回転部に連結し、該回転部は、溝を形成したメインスリーブを含み、該メインスリーブ内には二組のトルクバネを設け、該２組のトルクバネの突出端が該メインスリーブの溝に係止し、該２組のトルクバネによって該局部照射板の重量のバランスを取り、局部照射板が下方に落ちないようにし、
該メインスリーブの両側には、四角桿を設け、内スリーブに四角の孔を穿設し、該四角の孔に該四角桿を嵌挿して固定し、該内スリーブには係合溝を形成して該トルクバネを係合させる一端に、複数の締結部材を設け、該締結部材によって該伸縮構造部と、該外スリーブとを該内スリーブに固定する。
【００１３】
請求項３に記載する遠赤外線照射ボックスは、請求項２におけるツイストロックが、外管の一端に固定するキャップ部を含み、該キャップ部の一端にはネジ孔を穿設し、かつ圧迫部材を設け、該圧迫部材は錐体形状を呈し、外周面に螺刻して、ネジ山を形成し、該ネジ山が該ネジ孔に螺着して該内管と該外管とを圧接して固定状態にする。
【００１４】
請求項４に記載する遠赤外線照射ボックスは、請求項１における腰掛部が、それぞれ左右に対応する位置に設けた４つの位置決めブロックを具え、それぞれの該位置決めブロックは、前記第２側面板に固定し、
該４つの位置決めブロックは、２本のガイド柱の上下にそれぞれ設け、かつ該２本のガイド柱の間には支持桿を設け、該支持桿は、該２本のガイド柱の間で、上下に位置を自在に調整できるように設けるとともに、さらに底面に２つの支持部材を設けた座部板を設け、該支持桿には２枚が対になった支持耳を２対設け、該支持耳には円形孔を穿設し、該支持部材の両側面には、該支持耳の該円形孔に対応する楕円孔を穿設し、昇降桿の一端を該支持桿の底面に連結し、該昇降桿の一端は該底部ベースに昇降桿取り付け孔を設けて嵌挿して固定するとともに、該楕円孔には、ピンを挿入する。
【００１５】
請求項５に記載する遠赤外線照射ボックスは、請求項１における右側面板の網状板と遠赤外線セラミックス板がＬ字状を呈する。
【図面の簡単な説明】
【００１６】
【図１】この考案による遠赤外線照射ボックスの外観を示した斜視図である。
【図２】図１に開示する遠赤外線照射ボックスの分解図である。
【図３】この考案における局部照射板を示した斜視図である。
【図４】図３に開示する局部照射板の構造を示した局部拡大説明図である。
【図４Ａ】図４に矢印で標示したＡの部分の拡大説明図である。
【図４Ｂ】図４に開示した部分の平面図である。
【図５】この考案における局部照射板の伸縮構造を示した局部断面図である。
【図６】この考案における局部照射板の動作を示した説明図である。
【図７】この考案における腰掛部の斜視図である。
【図８】図７に開示する腰掛部の構造を示した文化図である。
【図９】この考案における座部板の支持構造を示した説明図である。
【図１０】この考案における座部板の支持構造を示した他の説明図である。
【図１１】この考案による遠赤外線照射ボックスの使用態様を示した説明図である。
【図１２】この考案による遠赤外線照射ボックスの使用態様を示した他の説明図である。
【考案を実施するための形態】
【００１７】
この考案は、使用者の身体に広く遠赤外線を照射することのできる遠赤外線照射ボックスを提供するものであって、遠赤外線セラミックス板を内設した網状板を有する側面版と、底部ベースとドアと天板によって箱体を構成してなる。係る遠赤外線照射ボックスの構造と特徴を詳述するために、具体的な実施例を挙げ、図面を参照にして以下に説明する。
【００１８】
図１、２に、この考案による遠赤外線照射ボックスの外観と内部構造を開示する。図面によれば、この考案による遠赤外線ボックスは、ドア１と、底部ベース２と、天板３と、第１側面板４と、第２側面板５と、右側面板６とを含む。
【００１９】
底部ベース２は底面に設け、底部ベース２の外周には、ドア１と、第１側面板４と、第２側面板５と、右側面板６とを設け、さらに上方には天板３を設けて箱体を構成する。
【００２０】
ドア１には覗き窓１１と、ドアノブ１２と、網状板１３とを設ける。網状板１３内には遠赤外線セラミックス板を設ける。
【００２１】
第１側面板４には、スピーカー４１と、マルチメディアパネル４２と、ミラー４３と、局部照射板構造７と、網状板６１とを設ける。網状板６１内には遠赤外線セラミックス板を設ける。
【００２２】
右側面板６には網状板６１を設ける、網状板６１内には遠赤外線セラミックス板を設ける。
【００２３】
底部ベース２には昇降桿取り付け孔２１を穿設する。
【００２４】
第２側面板５には網状板５１を設ける。網状板５１内には遠赤外線セラミックス板を設ける。また、第２側面板５には高さ調整可能な腰掛部８を設ける。腰掛部８は、座部板８１と昇降桿８３とを含む。座部板８１は、自在に収納、展開できる。
【００２５】
図３、４、４Ａ、４Ｂ、５に、局部照射板構造７の外観と局部断面を開示する。図面によれば、局部照射板構造７は少なくとも１以上の局部照射板７５に、伸縮構造部７３を回動自在に設ける。局部照射板には遠赤外線セラミックスを内設した網状板を設け、伸縮構造部７３には複数のツイストロック７２を設ける。ツイストロック７２を緩めると、伸縮構造部７３を伸縮させて長さを調整することができる。長さを調整して、ツイストロック７２を回転させて固定状にする。
【００２６】
伸縮構造部７３の一端は回転部９に連結する、回転部９は、溝９１１を形成したメインスリーブ９１を含む。また、メインスリーブ９１内には二組のトルクバネ９２を設ける。２組のトルクバネ９２の突出端９２１は、メインスリーブ９１の溝９１１に係止する。２組のトルクバネ９２は、その弾力で局部照射板７５の重量のバランスを取り、局部照射板７５が下方に落ちないようにする。
【００２７】
メインスリーブ９１の両側には、四角桿９３を設ける。即ち、内スリーブ９４に四角の孔を穿設し、該四角の孔に四角桿９３を嵌挿して固定する。内スリーブ９４には係合溝９４１を形成してトルクバネ９２を係合させる一端に、複数の局部照射板９５を設ける。局部照射板９５は、伸縮構造部７３と外スリーブ９６とを内スリーブ９４に固定する作用を有する。
【００２８】
ツイストロック７２は、外管７２３の一端に固定する
キャップ部７２１を含む。キャップ部７２１の一端にはネジ孔７２１１を穿設し、かつ圧迫部材７２２を設ける。圧迫部材７２２は錐体形状を呈し、外周面に螺刻して、ネジ山７２２１を形成する。ネジ山７２２１は、ネジ孔７２１１に螺着する。このため、内管７２４と外管７２３は制限を受けて圧接するが、固定されて動かなくなることはない。
【００２９】
図６に開示するように、局部照射板構造７の局部照射板７は、回転部９によって下方に回転させて角度調整する。図４に開示するように、トルクバネ９２の弾力によって局部照射板９５の重量のバランスをとるため、局部照射板９５は下方に落ちることがなく、下方に向かって自在に回転し、かつ前方に伸びて展開する。
【００３０】
図７、８に、高さを自在に調整できる腰掛の構造を開示する、図面によれば、腰掛部８は、それぞれ左右に対応する位置に設けた４つの位置決めブロック８２を具える。それぞれの位置決めブロック８２は、第２側面板５（図２参照）に固定する。また、４つの位置決めブロック８２は、２本のガイド柱８７の上下にそれぞれ設け、かつ２本のガイド柱８７の間には支持桿８８を設ける。支持桿８８は、２本のガイド柱８７の間で、上下に位置を自在に調整できるように設ける。
【００３１】
腰掛部８は、さらに座部板８１を含む。座部板８１は底面に２つの支持部材８５を設ける。また、支持桿８８には２枚が対になった支持耳８６を２対設ける。支持耳８６には円形孔を穿設する。
【００３２】
支持部材８５両側面には、支持耳８６の円形孔に対応する楕円孔８５１を穿設する。楕円孔８５１には、ピン８４  を挿入する。このため、支持部材８５は楕円孔８５１内が可動範囲に制限される。
【００３３】
昇降桿８３の一端は、支持桿８８の底面に連結し、昇降桿８３の一端は底部ベース２の昇降桿取り付け孔２１に嵌挿して固定する（図２参照）
【００３４】
図９、図１０に腰掛部８の構造を示す、図面によれば、支持部材８５に方向が傾斜した楕円孔８５１を穿設する。楕円孔８５１の一端が支持桿８８の支持耳８６から離れ、他端がピン８４に近づくと、支持部材８５の支持面は支持しない状態にあり、支持部材８５は重力によって下方に垂れて折りたたまれた状態になる。また、楕円孔８５１の他端が支持桿８８の支持耳８６から離れ、一端がピン８４に近づくと、支持部材８５の支持面は支持桿８８に当接して、支持部材８５は確実な支持が得られる。この場合、図２に開示するように、座部板８１は水平状態になり、使用者が腰をかけるのに供する。
【００３５】
図１１、１２に開示するように、底部ベース２と、ドア１と、第１側面板４と、第２側面板５と、右側面板６と、天板３とによって構成される箱体は、４面のいずれにも網状板が設けられ、且つこれら網状板には遠赤外線セラミックス板を設ける、よって、使用者の身体に十分な遠赤外線の照射を行うことができる。
【００３６】
右側面板６に設ける網状板６１と遠赤外線セラミックス板は、いずれもL字状を呈する。よって、使用者が立っていようと、腰掛けていようと、いずれも最大面積の遠赤外線照射面が得られる。
【００３７】
使用者が立っている場合は、腰掛部８の座部板８１は収納された状態とし、使用者が腰掛ける場合、腰掛部８の座部板８１を上方に引き起こして水平にし、固定状態にすることによって、腰掛として供することができる。。
【００３８】
使用者が立っている場合、局部照射板構造７は胸、腹部の位置に合わせて高い位置に調整し、使用者が腰掛ける場合局部照射板構造７を下方に調整し、使用者の胸、腹部、下肢を照射する。
【符号の説明】
【００３９】
１           ドア
１１         覗き窓
１２         ドアノブ
１３         網状板     
２           底部ベース
２１         昇降桿取り付け孔
３           天板
４           第１側面板
４１         スピーカー
４２         マルチメディアパネル
４３         ミラー
５           第２側面板
６           右側面板
６１         網状板
７           局部照射板構造
７２         ツイストロック
７２１       キャップ部
７２１１     ネジ孔
７２２        圧迫部材 
７２２１     ネジ山
７２３        外管
７２４        内管
７３         伸縮構造部
７５         局部照射板
８           腰掛部
８１         座部板
８２         位置決めブロック
８３         昇降桿
８４         ピン
８５         支持部材
８５１       楕円孔
８６         支持耳
８７         ガイド柱
８８         支持桿
９           回転部
９１         メインスリーブ
９２         トルクバネ
９２１        突出端
９１１        溝
９３         四角桿
９４         内スリーブ
９４１       係合溝
９５         局部照射板
９６         外スリーブ
【図１】
0003160363.tif 000003
【図２】
0003160363.tif 000004
【図３】
0003160363.tif 000005
【図４】
0003160363.tif 000006
【図４Ａ】
0003160363.tif 000007
【図４Ｂ】
0003160363.tif 000008
【図５】
0003160363.tif 000009
【図６】
0003160363.tif 000010
【図７】
0003160363.tif 000011
【図８】
0003160363.tif 000012
【図９】
0003160363.tif 000013
【図１０】
0003160363.tif 000014
【図１１】
0003160363.tif 000015
【図１２】
0003160363.tif 000016
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
覗き窓と、ドアノブと、遠赤外線セラミックス板を内設した網状板とを具えるドアと、
スピーカーと、マルチメディアパネルと、ミラーと、局部照射板構造と、網状板とを設け、網状板内には遠赤外線セラミックス板を内設した網状板と、を具え、かつ該局部照射板構造の前端に遠赤外線セラミックス板を内設した網状板を設けた局部照射板を設けてなる第１側面板と、
遠赤外線セラミックスを内設した網状板を具え、かつ高さ調整可能で、自在に収納、展開できる座部板と昇降桿とを含む腰掛部を備える第２側面板と、
遠赤外線セラミックスを内設した網状板を具える右側面板と、
底面に設けられる底部ベースと、
天板と、を具え、
該底部ベースの外周に該ドアと、該第１側面板と、該第２側面板と、該右側面板とを設ける底部ベースと、を設け、上方に該天板を設けて箱体を構成することを特徴とする遠赤外線照射ボックス。
【請求項２】
前記局部照射板構造の局部照射板が伸縮構造部を具え、該伸縮構造部が複数のツイストロックを具え、かつ該伸縮構造部の一端が回転部に連結し、該回転部は、溝を形成したメインスリーブを含み、該メインスリーブ内には２組のトルクバネを設け、該２組のトルクバネの突出端が該メインスリーブの溝に係止し、該２組のトルクバネによって該局部照射板の重量のバランスを取り、局部照射板が下方に落ちないようにし、
該メインスリーブの両側には、四角桿を設け、内スリーブに四角の孔を穿設し、該四角の孔に該四角桿を嵌挿して固定し、該内スリーブには係合溝を形成して該トルクバネを係合させる一端に、複数の締結部材を設け、該締結部材によって該伸縮構造部と、外スリーブとを該内スリーブに固定することを特徴とする請求項１に記載の遠赤外線照射ボックス。
【請求項３】
前記ツイストロックは、外管の一端に固定するキャップ部を含み、該キャップ部の一端にはネジ孔を穿設し、かつ圧迫部材を設け、該圧迫部材は錐体形状を呈し、外周面に螺刻して、ネジ山を形成し、該ネジ山が該ネジ孔に螺着して内管と該外管とを圧接して固定状態にすることを特徴とする請求項２に記載の遠赤外線照射ボックス。
【請求項４】
前記腰掛部は、それぞれ左右に対応する位置に設けた４つの位置決めブロックを具え、それぞれの該位置決めブロックは、前記第２側面板に固定し、
該４つの位置決めブロックは、２本のガイド柱の上下にそれぞれ設け、かつ該２本のガイド柱の間には支持桿を設け、該支持桿は、該２本のガイド柱の間で、上下に位置を自在に調整できるように設けるとともに、さらに底面に２つの支持部材を設けた座部板を設け、該支持桿には２枚が対になった支持耳を２対設け、該支持耳には円形孔を穿設し、該支持部材の両側面には、該支持耳の該円形孔に対応する楕円孔を穿設し、昇降桿の一端を該支持桿の底面に連結し、該昇降桿の一端は該底部ベースに昇降桿取り付け孔を設けて嵌挿して固定するとともに、該楕円孔には、ピンを挿入することを特徴とする請求項１に記載の遠赤外線照射ボックス。
【請求項５】
前記右側面板の網状板と遠赤外線セラミックス板がＬ字状を呈することを特徴とする請求項１に記載の遠赤外線照射ボックス。